【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
媒体シートが先端及び後端を有し、前記媒体シートがプロセス経路に沿ってプロセス方向に移動し、第１の仕上げ機及びバイパス仕上げ機に関連して使用するために、ディジタルプリンタから選択的に複数の仕上げ機へと前記媒体シートをルーティングする媒体シートルータにおいて、
前記プリンタのプロセス出口経路と整列するように構成された、前記ルータに前記媒体シートを入力するためのルータ入口経路と、
前記ルータ入口経路に対して９０度で配置されており、前記第１の仕上げ機入口経路と整列するように構成された、前記ルータから前記媒体シートを出力するためのルータの第１の出口経路と、
前記ルータ入口経路に対して４５度で配置された第１の軸に取り付けられ、前記ルータ入口経路から前記媒体シートを受け取るように構成された第１の入口経路を有する第１の回転要素であって、前記第１の入口経路から前記媒体シートを受け取り、前記第１の回転要素の周囲の螺旋経路に前記媒体シートを導き、前記ルータの第１の出口経路に前記媒体シートを排出するように構成された第１の回転要素と、
前記第１の回転要素をバイパスするように、第１の入口経路から離れてバイパス出口経路に向けて前記媒体シートを移動させるためのバイパス転写部であり、前記バイパス出口経路が前記ルータから前記媒体シートを出力するように構成されており、前記バイパス出口経路がバイパス仕上げ機入口経路と整列するように構成されたバイパス転写部と、
前記第１の入口経路及び前記バイパス転写部のうちの一方に前記媒体シートを選択的に導くための２次ダイバータと、
前記ルータ入口経路に対して９０度で配置されており、前記ルータの第１の出口経路に対向しており、第２の仕上げ機入口経路と整列するように構成された、前記ルータから前記媒体シートを出力するためのルータの第２の出口経路と、
前記ルータ入口経路に対して４５度で且つ前記第１の軸に対して９０度で配置された第２の軸に取り付けられ、前記ルータ入口経路から前記媒体シートを受け取るように構成された第２の入口経路を有する第２の回転要素であって、前記第２の入口経路から前記媒体シートを受け取り、前記第２の回転要素の周囲の螺旋経路に前記媒体シートを導き、前記ルータの第２の出口経路に前記媒体シートを排出するように構成された第２の回転要素と、
前記第１の入口経路及び前記第２の入口経路のうちの一方に前記媒体シートを選択的に導くための１次ダイバータと、を備え、
前記ルータが、シートの向きを維持しながら、完全なプロセス速度で前記ルータを介して前記ディジタルプリンタから選択的に前記複数の仕上げ機へと前記媒体シートを移動させるように構成されている、媒体シートルータ。
【請求項２】
前記第１の軸上で回転するように取り付けられた第１の回転ローラを含み、前記第１の回転ローラが外表面及び外周を有し、前記第１の回転ローラが、前記第１の回転ローラの前記外表面の周りの前記螺旋経路に前記媒体シートを導くように構成された第１の回転要素と、
前記第１の回転ローラの外表面と並置され且つ前記第１の回転ローラの外表面の周りで前記螺旋経路に途中まで延在し且つ前記第１の入口経路に沿って前記媒体シートを移動させ且つ前記第１の回転ローラの外表面上に前記媒体シートを保持し且つ前記ルータの第１の出口経路に沿って前記媒体シートを移動させるように構成された少なくとも１つの第１の転写ベルトと、
前記第２の軸上で回転するように取り付けられた第２の回転ローラを含み、前記第２の回転ローラが外表面及び外周を有し、前記第２の回転ローラが、前記第２の回転ローラの前記外表面の周りの前記螺旋経路に前記媒体シートを導くように構成された第２の回転要素と、
前記第２の回転ローラの外表面と並置され且つ前記第２の回転ローラの外表面の周りで前記螺旋経路に途中まで延在し且つ前記第２の入口経路に沿って前記媒体シートを移動させ且つ前記第２の回転ローラの外表面上に前記媒体シートを保持し且つ前記ルータの第２の出口経路に沿って前記媒体シートを移動させるように構成された少なくとも１つの第２の転写ベルトと
をさらに備える、請求項１に記載の媒体シートルータ。
【請求項３】
前記第１の軸上に固定的に取り付けられた第１の回転シリンダを含み、前記第１の回転シリンダが中空であり、壁、外表面、外周及び前記壁を通る孔のアレイを有し、前記第１の回転シリンダが前記第１の回転シリンダの外表面の周りで螺旋経路に前記媒体シートを導くように構成された第１の回転要素と、
前記第２の軸上に固定的に取り付けられた第２の回転シリンダを含み、前記第２の回転シリンダが中空であり、壁、外表面、外周及び前記壁を通る孔のアレイを有し、前記第２の回転シリンダが前記第２の回転シリンダの外表面の周りで前記螺旋経路に前記媒体シートを導くように構成された第２の回転要素と、
前記第１の回転シリンダの外表面と並置され且つ前記第１の回転シリンダの外表面の周りで前記螺旋経路に途中まで延在し且つ前記第１の入口経路に沿って前記媒体シートを移動させ且つ前記第１の回転シリンダの外表面上に前記媒体シートを保持し且つ前記ルータの第１の出口経路に沿って前記媒体シートを移動させるように構成された少なくとも１つの第１の転写ベルトと、
前記第２の回転シリンダの外表面と並置され且つ前記第２の回転シリンダの外表面の周りで前記螺旋経路に途中まで延在し且つ前記第２の入口経路に沿って前記媒体シートを移動させ且つ前記第２の回転シリンダの外表面上に前記媒体シートを保持し且つ前記ルータの第２の出口経路に沿って前記媒体シートを移動させるように構成された少なくとも１つの第２の転写ベルトと、
前記第１の回転シリンダの外側面と前記第１の転写ベルトとの間且つ前記第２の回転シリンダの外表面と前記第２の転写ベルトとの間に空気層を含む減摩擦コーティングと、
前記減摩擦コーティングに空気を供給するために前記第１及び第２の回転シリンダ並びに前記孔と連通する送風機と
をさらに備える、請求項１に記載の媒体シートルータ。
【請求項４】
円弧状の第１の内側回転要素を同心円状に囲む円弧状の第１の外側回転要素を含み、前記第１の内側及び第１の外側要素が前記第１の軸の周りで半円に延在し、前記第１の内側及び第１の外側要素が両端間に延在し且つ円弧状の第１のスロットをその間に画定するように離間され、前記第１のスロットが前記第１の入口経路から前記媒体シートを受け取り且つ前記ルータの第１の出口経路まで前記第１のスロットを介して螺旋経路に前記媒体シートを導くように構成された第１の回転要素と、
円弧状の第２の内側回転要素を同心円状に囲む円弧状の第２の外側回転要素を含み、前記第２の内側及び第２の外側要素が前記第２の軸の周りで半円に延在し、前記第２の内側及び第２の外側要素が両端間に延在し且つ円弧状の第２のスロットをその間に画定するように離間され、前記第２のスロットが前記第２の入口経路から前記媒体シートを受け取り且つ前記ルータの第２の出口経路まで前記第２のスロットを介して螺旋経路に前記媒体シートを導くように構成された第２の回転要素と、
前記第１の内側及び第１の外側要素上における前記第１のスロット内部且つ前記第２の内側及び第２の外側要素上における前記第２のスロット内部の高分子減摩擦コーティングと、
前記第１のスロットと並置され、前記第１の入口経路に沿って前記媒体シートを移動させるように構成された少なくとも１つの第１の転写部と、
前記第２のスロットと並置され、前記第２の入口経路に沿って前記媒体シートを移動させるように構成された少なくとも１つの第２の転写部と
をさらに備える、請求項１に記載の媒体シートルータ。
【請求項５】
媒体シートが先端及び後端を有し、前記媒体シートがプロセス経路に沿ってプロセス方向に移動し、第１の仕上げ機、第２の仕上げ機及びバイパス仕上げ機に関連して使用するために、ディジタルプリンタから選択的に複数の仕上げ機へと前記媒体シートをルーティングする媒体シートルータにおいて、
前記プリンタのプロセス出口経路と整列するように構成された、前記ルータに前記媒体シートを入力するためのルータ入口経路と、
前記ルータ入口経路に対して９０度で配置されており、第１の仕上げ機入口経路と整列するように構成された、前記ルータから前記媒体シートを出力するためのルータの第１の出口経路と、
前記ルータ入口経路に対して４５度で配置された第１の軸に回転するように取り付けられ、外表面及び外周を有し、前記ルータ入口経路から前記媒体シートを受け取るように構成された第１の入口経路を有する第１の回転ローラであって、前記第１の入口経路から前記媒体シートを受け取り、前記第１の回転ローラの外表面の周囲の螺旋経路に前記媒体シートを導き、前記ルータの第１の出口経路に前記媒体シートを排出するように構成された第１の回転ローラと、
前記第１の回転ローラの外表面と並置され且つ前記第１の回転ローラの外周の周りで前記螺旋経路に途中まで延在し且つ前記第１の入口経路に沿って前記媒体シートを移動させ且つ前記第１の回転ローラの外表面上に前記媒体シートを保持し且つ前記ルータの第１の出口経路に沿って前記媒体シートを移動させるように構成された少なくとも１つの第１の転写ベルトと、
前記ルータ入口経路に対して９０度で配置されており、前記ルータの第１の出口経路に対向しており、前記第２の仕上げ機入口経路と整列するように構成された、前記ルータから前記媒体シートを出力するためのルータの第２の出口経路と、
前記ルータ入口経路に対して４５度で且つ前記第１の軸に対して９０度で配置された第２の軸に回転するように取り付けられ、外表面及び外周を有し、前記ルータ入口経路から前記媒体シートを受け取るように構成された第２の入口経路を有する第２の回転ローラであって、前記第２の入口経路から前記媒体シートを受け取り、前記第２の回転ローラの外表面の周囲の螺旋経路に前記媒体シートを導き、前記ルータの第２の出口経路に前記媒体シートを排出するように構成された第２の回転ローラと、
前記第２の回転ローラの外表面と並置され且つ前記第２の回転ローラの外周の周りで前記螺旋経路に途中まで延在し且つ前記第２の入口経路に沿って前記媒体シートを移動させ且つ前記第２の回転ローラの外表面上に前記媒体シートを保持し且つ前記ルータの第２の出口経路に沿って前記媒体シートを移動させるように構成された少なくとも１つの第２の転写ベルトと、
前記第１の入口経路及び前記第２の入口経路のうちの一方に前記媒体シートを選択的に導くための１次ダイバータと、
前記第１の回転要素をバイパスするように、第１の入口経路から離れてバイパス出口経路に向けて前記媒体シートを移動させるためのバイパス転写部であり、前記バイパス出口経路が前記ルータから前記媒体シートを出力するように構成されており、前記バイパス出口経路がバイパス仕上げ機入口経路と整列するように構成されたバイパス転写部と、
前記第１の入口経路及び前記バイパス転写部のうちの一方に前記媒体シートを選択的に導くための２次ダイバータとを備え、
前記ルータが、シートの向きを維持しながら、完全なプロセス速度で前記ルータを介して前記ディジタルプリンタから選択的に前記複数の仕上げ機へと前記媒体シートを移動させるように構成されている、媒体シートルータ。
【請求項６】
第１の仕上げ機及びバイパス仕上げ機に関連して使用するために、ディジタルプリンタから複数の仕上げ機へと媒体シートをルーティングする方法において、
前記媒体シートをルーティングするルータを配設し、ルータ入口経路と前記プリンタのプロセス出口経路を整列させることと、
前記プリンタのプロセス出口経路から前記ルータ入口経路に前記媒体シートを移動させることと、
前記ルータ入口経路に対して９０度でルータの第１の出口経路を配置することと、
第１の仕上げ機入口経路と前記ルータの第１の出口経路を整列させることと、
前記ルータ入口経路に対して４５度で配置された第１の軸に第１の回転要素を提供することと、
前記ルータ入口経路から前記媒体シートを受け取り、前記第１の仕上げ機が選択された場合に前記ルータの第１の出口経路へと前記第１の回転要素の周りで螺旋経路に前記媒体シートを導くことと、
前記ルータの第１の出口経路に沿って前記ルータから前記媒体シートを排出し、第１の仕上げ機入口経路に前記媒体シートを移動させることと、
ルータバイパス出口経路まで前記第１の回転要素の周りにバイパス転写部を提供することと、
バイパス仕上げ機入口経路とルータバイパス出口経路を整列させることと、
前記ルータ入口経路から前記媒体シートを受け取り、前記バイパス転写部が選択された場合に前記ルータバイパス出口経路に前記媒体シートを導くことと、
前記バイパス仕上げ機入口経路に前記ルータバイパス出口経路から前記媒体シートを移動させることと、
シートの向きを維持しながら、完全なプロセス速度で前記ルータを介して前記ディジタルプリンタから選択的に複数の仕上げ機へと前記媒体シートを移動させることと、
前記ルータ入口経路に対して９０度で且つ前記ルータの第１の出口経路と対向してルータの第２の出口経路を配置することと、
第２の仕上げ機入口経路と前記ルータの第２の出口経路を整列させることと、
前記ルータ入口経路に対して４５度で配置され且つ前記第１の回転要素に対して９０度で配置された第２の軸上に第２の回転要素を提供することと、
前記ルータ入口経路から前記媒体シートを受け取り、前記第２の回転要素の周りで螺旋経路内に送り、前記第２の仕上げ機が選択された場合に前記ルータの第２の出口経路へと前記媒体シートを導くことと、
前記ルータの第２の出口経路に沿って前記ルータから前記媒体シートを排出し、前記第２の仕上げ機入口経路に前記媒体シートを移動させることと
を備える、方法。
【請求項７】
前記第１の回転要素と前記バイパス転写部との間に２次ダイバータを提供することと、
前記２次ダイバータによって前記第１の回転要素及び前記バイパス転写部のうちの一方に前記媒体シートを選択的に導くことと
をさらに備える、請求項６に記載の方法。
【請求項８】
前記第１の回転要素として前記第１の軸上での回転のための第１の回転ローラを取り付けることと、
前記第１の回転ローラの外表面と少なくとも１つの第１の転写ベルトを並置し、前記第１の回転ローラの外表面の周りで螺旋経路に途中まで前記第１の転写ベルトを延在することと、
前記第１の回転ローラの外表面上に前記媒体シートを保持し、前記第１の仕上げ機が選択された場合に前記第１の転写ベルトによって前記第１の回転ローラの外表面の周りで螺旋経路に前記媒体シートを導くことと
をさらに備える、請求項６に記載の方法。
【請求項９】
前記第１の回転要素と前記第２の回転要素との間に１次ダイバータを設けることと、
前記１次ダイバータによって前記第１の回転要素及び前記第２の回転要素のうちの一方に前記媒体シートを選択的に導くことと
をさらに備える、請求項６に記載の方法。
【請求項１０】
前記第１の回転要素として前記第１の軸上での回転のための第１の回転ローラを取り付けることと、
少なくとも１つの第１の転写ベルトを、前記第１の回転ローラの外表面と並置し、前記第１の回転ローラの外表面の周りで螺旋経路に途中まで前記第１の転写ベルトを延在することと、
前記第１の回転ローラの外表面上に前記媒体シートを保持し、前記第１の仕上げ機が選択された場合に前記第１の転写ベルトによって前記第１の回転ローラの外表面の周りで螺旋経路に前記媒体シートを導くことと、
前記第２の回転要素として前記第２の軸上での回転のための第２の回転ローラを取り付けることと、
少なくとも１つの第２の転写ベルトを、前記第２の回転ローラの外表面と並置し、前記第２の回転ローラの外表面の周りで螺旋経路に途中まで前記第２の転写ベルトを延在することと、
前記第２の回転ローラの外表面上に前記媒体シートを保持し、前記第２の仕上げ機が選択された場合に前記第２の転写ベルトによって前記第２の回転ローラの外表面の周りで螺旋経路に前記媒体シートを導くことと
をさらに備える、請求項６に記載の方法。
【請求項１１】
前記第１の回転要素として、前記第１の軸に第１の回転シリンダを固定的に取り付けることと、
前記第１の回転シリンダの壁を貫通する孔のアレイを形成することと、
少なくとも１つの第１の転写ベルトを、前記第１の回転シリンダの外表面と並置し、前記第１の回転シリンダの外表面の周りで螺旋経路に途中まで前記第１の転写ベルトを延在することと、
前記第１の回転シリンダの外表面上に前記媒体シートを保持し、前記第１の仕上げ機が選択された場合に前記第１の転写ベルトによって前記第１の回転シリンダの外表面の周りで螺旋経路に前記媒体シートを導くことと、
前記孔のアレイから、前記第１の回転シリンダの外表面と前記第１の転写ベルトとの間に空気層を吹き付けることによって減摩擦コーティングを形成することと
をさらに備える、請求項６に記載の方法。
【請求項１２】
前記第１の回転要素として、前記第１の軸に第１の回転シリンダを固定的に取り付けることと、
前記第１の回転シリンダの壁を貫通する孔のアレイを形成することと、
少なくとも１つの第１の転写ベルトを、前記第１の回転シリンダの外表面と並置し、前記第１の回転シリンダの外表面の周りで螺旋経路に途中まで前記第１の転写ベルトを延在することと、
前記第１の回転シリンダの外表面上に前記媒体シートを保持し、前記第１の仕上げ機が選択された場合に前記第１の転写ベルトによって前記第１の回転シリンダの外表面の周りで螺旋経路に前記媒体シートを導くことと、
前記孔のアレイから、前記第１の回転シリンダの外表面と前記第１の転写ベルトとの間に空気層を吹き付けることによって減摩擦コーティングを形成することと、
前記第２の回転要素として、前記第２の軸に第２の回転シリンダを固定的に取り付けることと、
前記第２の回転シリンダの壁を貫通する孔のアレイを形成することと、
少なくとも１つの第２の転写ベルトを、前記第２の回転シリンダの外表面と並置し、前記第２の回転シリンダの外表面の周りで螺旋経路に途中まで前記第２の転写ベルトを延在することと、
前記第２の回転シリンダの外表面上に前記媒体シートを保持し、前記第２の仕上げ機が選択された場合に前記第２の転写ベルトによって前記第２の回転シリンダの外表面の周りで螺旋経路に前記媒体シートを導くことと、
前記孔の螺旋アレイから、前記第２の回転シリンダの外表面と前記第２の転写ベルトとの間に空気層を吹き付けることによって減摩擦コーティングを形成することと
をさらに備える、請求項６に記載の方法。
【請求項１３】
円弧状の第１の内側回転要素を同心円状に囲む円弧状の第１の外側回転要素を、前記第１の回転要素として、前記第１の軸に取り付けることと、
前記第１の内側回転要素と前記第１の外側回転要素とを離間させ、その間に円弧状の第１のスロットを形成することと、
前記第１の内側回転要素上及び前記第１の外側回転要素上で前記第１のスロット内に高分子減摩擦コーティングを形成することと、
前記第１のスロット内に前記媒体シートを受け取り、前記第１の仕上げ機が選択された場合に前記第１のスロットを通る螺旋経路において前記ルータの第１の出口経路まで前記媒体シートを導くことと、
をさらに備える、請求項６に記載の方法。
【請求項１４】
円弧状の第１の内側回転要素を同心円状に囲む円弧状の第１の外側回転要素を、前記第１の回転要素として、前記第１の軸に取り付けることと、
前記第１の内側回転要素と前記第１の外側回転要素とを離間させ、その間に円弧状の第１のスロットを形成することと、
前記第１の内側回転要素上及び前記第１の外側回転要素上で前記第１のスロット内に高分子減摩擦コーティングを形成することと、
前記第１のスロット内に前記媒体シートを受け取り、前記第１の仕上げ機が選択された場合に前記第１のスロットを通る螺旋経路において前記ルータの第１の出口経路まで前記媒体シートを導くことと、
円弧状の第２の内側回転要素を同心円状に囲む円弧状の第２の外側回転要素を、前記第２の回転要素として、前記第２の軸に取り付けることと、
前記第２の内側回転要素と前記第２の外側回転要素とを離間させ、その間に円弧状の第２のスロットを形成することと、
前記第２の内側回転要素上及び前記第２の外側回転要素上で前記第２のスロット内に高分子減摩擦コーティングを形成することと、
前記第２のスロット内に前記媒体シートを受け取り、前記第２の仕上げ機が選択された場合に前記第２のスロットを通る螺旋経路において前記ルータの第２の出口経路まで前記媒体シートを導くことと、
をさらに備える、請求項６に記載の方法。